(57)【要約】【課題】  周囲の各座席から、メディアの出し入れや、操作を容易に行うことのできるメディア再生表示装置を提供する。【解決手段】  メディア再生ユニット２０および表示ユニット３０が回転支持機構４０によりＺ軸方向回転軸４１回りに回転可能に支持されているので、車両後席の左右一方に着座している場合においても、操作手段５０によりメディア再生ユニット２０および前記表示ユニット３０を正面に向けることができる。これにより、後席に座っている者でも、メディア１１の出し入れやリモコン５１あるいはメディア再生表示装置１０に搭載されているハードキーによる操作を容易に行うことができる。【選択図】  図１
2006205977.tif 000002
【特許請求の範囲】
【請求項１】
メディアに記録された情報を再生するメディア再生ユニットと、前記メディア再生ユニットで再生された映像情報を表示する表示ユニットとを有するメディア再生表示装置であって、
前記メディア再生ユニットおよび前記表示ユニットを一体でＺ軸方向回転軸回りに回転可能に支持する回転支持機構と、前記回転支持機構を操作する操作手段とを有することを特徴とするメディア再生表示装置。
【請求項２】
前記回転支持機構は前記回転軸回りに３６０度回転可能であることを特徴とする請求項１記載のメディア再生表示装置。
【請求項３】
前記回転支持機構が、前記メディア再生表示装置の中心部にＺ方向の回転軸を有することを特徴とする請求項１または請求項２に記載のメディア再生表示装置。
【請求項４】
前記回転支持機構が、前記メディア再生表示装置を開閉する支軸部近傍にＺ方向の回転軸を有することを特徴とする請求項１または請求項２に記載のメディア再生表示装置。
【請求項５】
前記回転軸が、車内の天井に取り付けられていることを特徴とする請求項１から請求項４に記載のメディア再生表示装置。
【請求項６】
前記回転軸が、車内の床面に取り付けられていることを特徴とする請求項１から請求項４に記載のメディア再生表示装置。
【発明の詳細な説明】
【技術分野】
【０００１】
本発明は、メディアに記録された音声や映像情報を再生表示するためのメディア再生ユニットと表示ユニットを一体化した装置であって、車両、航空機、船などに搭載されるメディア再生表示装置に関するものである。
【背景技術】
【０００２】
従来より、メディアに記録された音声や映像情報を再生表示するための車載用メディア再生表示装置で、車内の天井に取り付けられているものが知られている（例えば特許文献１参照）。
図１３に示すように、この車載用メディア再生表示装置１００は、車両１０１の車内に取り付けられている。車載用メディア再生表示装置１００は、屋根１０３の車内側である天井１０２に固定されるハウジング１０４と、ハウジング１０４にヒンジを介して取り付けられるビデオディスプレイ１０５を備えている。
【特許文献１】特開２００２−１９３０４５号公報（図１）
【発明の開示】
【発明が解決しようとする課題】
【０００３】
ところで、従来のメディア再生表示装置においては、たとえば車両後席用として天井などに取り付けられている場合、メディアの出し入れや、リモコンあるいはメディア再生表示装置に設けられているハードキー（操作釦）による操作やリモコン操作は、後席からしか行うことができず、さらに、後席に小さな子供だけが乗車している場合などにおいてはメディアの挿脱操作やメディア再生表示装置に設けられているハードキーによる操作を行うことができなかった。
【０００４】
本発明は、上記事情に鑑みてなされたもので、装置周囲の各座席から、メディアの出し入れや、操作を容易に行うことのできるメディア再生表示装置を提供することを目的とする。
【課題を解決するための手段】
【０００５】
本発明のメディア再生表示装置は、メディアに記録された情報を再生するメディア再生ユニットと、前記メディア再生ユニットで再生された映像情報を表示する表示ユニットとを有するメディア再生表示装置であって、前記メディア再生ユニットおよび前記表示ユニットを一体でＺ軸方向回転軸回りに回転可能に支持する回転支持機構と、前記回転支持機構を操作する操作手段とを有する構成を有している。
【０００６】
この構成により、メディア再生ユニットおよび表示ユニットが回転支持機構によりＺ軸方向回転軸回りに回転可能に支持されているので、車両後席の左右一方に着座している場合においても、操作手段により回転支持機構を作動させてメディア再生ユニットおよび前記表示ユニットを正面に向けることができる。
また、メディアの出し入れやリモコンあるいはメディア再生表示装置に搭載されているハードキーによる操作を容易に行うことができる。
【０００７】
また、本発明にかかるメディア再生表示装置は、メディア再生ユニットおよび表示ユニットが操作手段によって操作される回転支持機構によりＺ軸方向回転軸回りに回転可能に支持されたものであって、前記回転支持機構は前記回転軸回りに３６０度回転可能である構成を有している。
【０００８】
この構成により、回転支持機構がＺ軸方向回転軸回りに３６０度回転することができるので、メディア再生表示装置を周辺のどの座席に対しても正面を向けることができ、車両前席からのメディアの出し入れや、リモコンあるいはメディア再生表示装置に搭載されているハードキーによる操作を容易に行うことができる。
さらに、表示ユニットが開かれた状態であっても、装置を左右どちらかに９０度回転させれば、運転者の後方視界を確保することができ、運転時に安全性を確保することができる。
【０００９】
また、本発明にかかるメディア再生表示装置は、メディア再生ユニットおよび表示ユニットが操作手段によって操作される回転支持機構によりＺ軸方向回転軸回りに回転可能に支持されたものであって、前記回転支持機構が、前記メディア再生表示装置の中心部にＺ方向の回転軸を有する構成を有している。
【００１０】
この構成により、メディア再生表示装置の中心部に設けられているＺ軸を中心として回転するため、回転軌跡を小さくすることができる。
【００１１】
また、本発明にかかるメディア再生表示装置は、メディア再生ユニットおよび表示ユニットが操作手段によって操作される回転支持機構によりＺ軸方向回転軸回りに回転可能に支持されたものであって、前記回転支持機構が、前記メディア再生表示装置を開閉する支軸部近傍にＺ方向の回転軸を有する構成を有している。
【００１２】
この構成により、メディア再生表示装置を開閉する支軸部近傍を中心に回転されるため、回転中も視点を大きくそらさずに再生されている映像を見ることができる。
【００１３】
また、本発明にかかるメディア再生表示装置は、メディア再生ユニットおよび表示ユニットが操作手段によって操作される回転支持機構によりＺ軸方向回転軸回りに回転可能に支持されたものであって、前記回転軸が、車内の天井に取り付けられている構成を有している。
【００１４】
この構成により、車両後席の左右一方に着座している場合においても、天井から設けられている回転軸回りに回してメディア再生ユニットおよび前記表示ユニットを正面に向けることができる。
これにより、後席に座っている者でも、メディアの出し入れやリモコンあるいはメディア再生表示装置に搭載されているハードキーによる操作を容易に行うことができる。
【００１５】
また、本発明にかかるメディア再生表示装置は、メディア再生ユニットおよび表示ユニットが操作手段によって操作される回転支持機構によりＺ軸方向回転軸回りに回転可能に支持されたものであって、前記回転軸が、車内の床面に取り付けられている構成を有している。
【００１６】
この構成により、車両後席の左右一方に着座している場合においても、床面に設けられている回転軸回りに回してメディア再生ユニットおよび前記表示ユニットを正面に向けることができる。
これにより、後席に座っている者でも、メディアの出し入れやリモコンあるいはメディア再生表示装置に搭載されているハードキーによる操作を容易に行うことができる
【発明の効果】
【００１７】
本発明によれば、装置周囲の各座席から、メディアの出し入れや、操作を容易に行うことのできるメディア再生表示装置を提供することができる。
【発明を実施するための最良の形態】
【００１８】
以下、本発明の実施形態のメディア再生表示装置について、図面を用いて説明する。
（第１実施形態）
図１は本発明の第１実施形態にかかる車載用メディア再生表示装置の断面図、図２は回転支持機構の平面図、図３はメディア再生表示装置のシステムブロック図である。
【００１９】
本発明の実施形態におけるメディア再生表示装置である、車載用メディア再生表示装置１０は、メディア１１に記録された情報を再生するメディア再生ユニット２０と、メディア再生ユニット２０で再生された映像情報を表示する表示ユニット３０とを有しており、メディア再生ユニット２０および表示ユニット３０をＺ軸方向（図１において上下方向）の回転軸４１回りに回転可能に支持する回転支持機構４０と、回転支持機構４０を操作する操作手段５０とを有している。
【００２０】
図２に示すように、回転支持機構４０は、メディア再生表示装置１０の中心部にＺ方向の回転軸４１を有している。
すなわち、回転支持機構４０は全体円板状であって取付面である天井１２（図１参照）に埋没した状態で取り付けられており、回転支持機構４０の中央から下方に回転軸４１が室内に突出している。回転軸４１の下端部には、後述するメディア再生ユニット２０のフレーム２０ａが取り付けられている。
【００２１】
回転支持機構４０は、回転駆動機構４２、および回転制御基板４３を有している。回転駆動機構４２は、モータ４４、モータ４４の回転軸４４ａに取り付けられているウォームギヤ４５ａ、ウォームギヤ４５ａに噛合するアイドルギヤ４５ｂおよびこのアイドルギヤ４５ｂに噛合して回転軸４１回りに回転するアイドルギヤ４５ｃを有している。
【００２２】
従って、モータ４４を回転させると、ウォームギヤ４５ａを介してアイドルギヤ４５ｂを回転させ、さらにアイドルギヤ４５ｃが回転されることにより回転軸４１が回転する。  回転支持機構４０ではＺ軸方向の回転軸４１は３６０度回転可能となっており、上述したように回転軸４１の下端部には、後述するメディア再生ユニット２０のフレーム２０ａが取り付けられているので、メディア再生表示装置１０が３６０度回転可能となる。
なお、モータ４４を使用せず、手動で回転軸４１を回転させる機構としてもよい。また回転動作については、Ｚ軸を中心として右回りあるいは左回りのいずれか一回転方向に３６０度回転可能とさせてもよいし、右回りまたは左回りの一回転方向に１８０度づつ回転可能な構成としてもよい。
【００２３】
図１に示すように、メディア再生ユニット２０は、メディア再生ユニットケース２１で覆った状態になっている。これは、主に不要輻射対策あるいは防塵対策のために用いられている。
メディア再生ユニット２０としては、ＤＶＤ（Digital Versatile Disc）を１枚ずつ挿入して再生するためのＤＶＤ再生ユニットを例に説明をおこなうが、メディア再生ユニット２０としては、その他に、ＤＶＤ再生ユニット以外にもＣＤ（Compact Disc）再生ユニット、ＭＤ（Mini Disc）再生ユニット、カセットテープ再生ユニット、ＳＤメモリカードやメモリスティックなどに記録された情報を再生するためのメディア再生ユニット、着脱可能なＨＤＤ（Hard Disk Drive）等でもよい。また、メディアを複数枚挿入して装置内部でメディアを選択して再生する多連奏型のものを用いてもよい。
【００２４】
メディア再生ユニット２０には、メディアである光ディスク１１の再生を行うための図示しない光ピックアップやターンテーブルなどのメカトロ部品を内蔵したメディア再生デバイス２２が搭載されており、メディア１１の挿排を行うメディア挿入口２２ａが設けられている。
また、メディア再生デバイス２２を電気的に制御するための電子部品などを搭載したメディア再生制御部２３（図３参照）は、メディア再生表示装置１０全体の電子制御を行うための電子部品などを搭載し、天井１２に並行に設置されたメディア再生デバイス２２および表示ユニット３０を制御する制御基板（以下メイン基板と言う）２４（図３参照）上に設けられている。
【００２５】
表示ユニット３０は、表示ユニット３０を開閉可能に支持するための支軸３１によりメディア再生表示装置１０に取り付けられている。表示ユニット３０は、内部に液晶ディスプレイ、有機ELディスプレイ、無機ELディスプレイ、ＦＥＤ（Field Emission Display）、ＳＥＤ（Surface-conduction Electron-emitter Display）、ＶＦＤ（Vacuum Fluorescent Display）、プラズマディスプレイ、ブラウン管などの表示デバイス３２と、表示デバイス３２を電子制御する表示デバイス制御部を有した表示基板３３（図３参照）と、これらを覆うケース３４などから構成されている。
さらに、メディア再生ユニット２０と表示ユニット３０を電気的に接続する接続ケーブル１３とを有しており、メディア再生ユニット２０と表示ユニット３０との間で映像信号などの電気信号や制御信号などの送受信を行っている。
【００２６】
次に、車載用メディア再生表示装置の制御系について説明する。図３はメディア再生表示装置のシステムブロック図である。
図３に示すように、メディア再生表示装置１０は、メディア再生ユニット２０、表示ユニット３０、および回転支持機構４０を有している。
【００２７】
メディア再生ユニット２０は、メイン基板２４、メディア再生デバイス２２およびリモコン受光部２５を有している。メイン基板２４は、メディア再生デバイス２２の電子制御や、表示ユニット３０の表示基板３３および回転支持機構４０の回転制御基板４３との通信を行うメディア再生制御部２３を有している。また、メディア再生制御部２３には、操作手段５０であるリモコン５１からの信号を受けるリモコン受光部２５に接続されている。なお、メイン基板２４は、映像出力部２６、音声出力部２７、映像入力部２８も設けられている。
【００２８】
表示ユニット３０では、表示基板３３に表示デバイス制御部３５を有しており、表示デバイス３２の制御を行っている。
【００２９】
また、回転支持機構４０は、モータ４４やギヤ４５等からなる回転駆動機構４２と、この回転駆動機構４２を制御する回転制御基板４３を有している。回転制御基板４３では、回転駆動機構４２を電気的に制御するための電子部品などを搭載したメディア再生表示装置回転制御部４６を有している。
さらに、回転制御基板４３には、外部からメディア再生表示装置１０への電源を受給したり、あるいは、メディア再生デバイス２２が出力する映像信号や音声信号を制御する映像出力部２６や音声出力部２７を介し外部機器へ音声信号や映像信号などを出力するためのコネクタ４７が設けられている。
【００３０】
操作者がリモコンやハードキーを用いて装置の回転動作を指示すると、リモコン受光部２５やハードキー(図示せず)からメディア再生制御部２３へ回転位置信号が入力され、この回転位置信号はメディア再生制御部２３で検出、判定され、メディア再生表示装置回転制御部４６で、回転駆動機構４２を制御するための信号に変換される。変換されたこの信号により、回転駆動機構４２内のモーター４４、ウォームギア４５ａ、アイドルギア４５ｃ、アイドルギア４５ｂを動かし、メディア再生ユニットと表示ユニットを一体で回転させることとなる。
【００３１】
装置を所望の位置まで回転させた後、メディア再生デバイス２２に光ディスク１１（図１参照）が挿入（あるいは光ディスク１１が交換）され、リモコン５１やハードキー（図示せず）等により再生操作されると、メディア再生デバイス２２から出力される映像信号は、表示基板３３の表示デバイス制御部３５に送られ、表示可能な信号に変換され、表示デバイス３２より映像が表示される。
【００３２】
また、メディア再生デバイス２２から出力される音声信号は、音声出力部２７で適正な音声レベルに変換され、コネクタ４７より出力される。コネクタ４７の音声出力部にはワイヤードヘッドフォン用のジャックが接続可能となっており、使用者はワイヤードヘッドフォンを用いて再生された音声を聞き取ることができる。
あるいは、ワイヤードヘッドフォン以外に赤外線を用いて音声信号を送信し、この音声信号を受信できる受信手段および受信した信号を音声に変換する変換手段を備えたワイヤレスヘッドフォンやスピーカユニットを用いて、メディア再生デバイス２２から出力される音声を聴取することが可能である。
【００３３】
次に、以上のように構成されたメディア再生表示装置１０について、その動作を説明する。
図４は、本発明の第１実施形態の表示装置を車両の天井に搭載した状態を示す側面図、図５は、本発明の第１実施形態の表示装置を車両の天井に搭載した状態を示す正面図である。
【００３４】
図４および図５に示すように、メディア再生表示装置１０は天井１２に搭載され、搭乗者がそのメディア再生ユニット２０の挿入口２２ａに光ディスク１１を挿入し始めると、メディア再生ユニット２０の挿入口近傍で光ディスク１１が挿入されたことが検出され、図示していないローラが回転し始め、このローラとメディア再生ユニット２０の筐体などで光ディスク１１を挟持しながらメディア再生ユニット２０の内部に引き込む動作が行われ、光ディスク１１がメディア再生ユニット２０の再生位置に載置される。
【００３５】
そして、その後再生操作を行うと、表示デバイス３２により再生された画像を見ることができる。また、音声は車両に搭載されたスピーカーやワイヤレスヘッドホン、ワイヤードヘッドホンなどの音声再生装置（図示せず）で聞くことができる。また、光ディスク１１の再生が終了したり他の光ディスクに交換するなど、光ディスク１１をメディア再生ユニット２０から排出する際は、イジェクト釦（図示せず）を押すなどして排出動作に移行させると、ディスク挿入時とは逆の動作を行う。すなわち、上述した図示していないローラが逆回転することで、ディスク１１がディスク再生位置からディスク挿入口２２ａに向けて排出される。
【００３６】
その後、光ディスク１１が所定量排出された時点でローラが回転動作を停止し、光ディスク１１をローラとメディア再生ユニット２０の筐体などで挟持した状態を維持する。
そのため、排出された光ディスク１１が落下することはなく、操作者が排出された光ディスク１１を引き抜くこととなる。また、表示ユニット３０は、搭乗者が装置を使用しないときや、運転者の後方視界を妨げる時などには閉じて収納することができる。
【００３７】
図６は、本発明の第１実施形態におけるメディア再生装置を車両に搭載し、後席の中央位置に定置した状態、および従来のメディア再生表示装置の上面図である。図７は本発明の第１実施形態における、メディア再生表示装置を車両に搭載し、後席の着座位置方向に回転した状態の上面図である。図８は本発明の第１実施形態における、メディア再生表示装置を車両に搭載し、前席の助手席方向に回転した状態の上面図である。図９は本発明の第１実施形態における、メディア再生表示装置を車両に搭載し、前席の運転席方向に回転した状態の上面図である。
なお、図６ないし図９において、Ａは大人、Ｃは子供を示している。
【００３８】
以下、具体的な場合について説明する。
図６において、搭乗者は大人４人がそれぞれ前右席（運転席）、前左席（助手席）、２つの後席に着座している。メディア再生表示装置１０はその表示ユニット３０の表示デバイス３２が後席中央に向けて定置している。
この様な状態において、メディア再生表示装置１０を再生させた場合、メディア再生表示装置１０の表示デバイス３２が後席中央に向けられているため後席に着座する２人が同じ再生内容を楽しむことができ、再生を終了して他のメディア１１を再生するためにメディア１１の交換をする際も後席の２人のどちらでもメディア交換が可能である。
【００３９】
次に、図７に示すように、後席の片側（図７においては、右側）のみに乗員が着座している場合においては、後席の乗員は自らがメディア表示再生装置１０に設けられている回転釦（図示省略）を押すか、あるいは、リモコン５１のメディア再生表示回転を指示する釦を押すなどして、表示デバイス３２が着座方向を向くように調整することができる。
これによって画面が見やすくなるとともに、表示ユニット３０とメディア挿入口２２ａが一体で着座方向に回転するため、再生動作を終了させてメディア１１を交換する場合に、メディア１１の出し入れも容易になる。
【００４０】
さらに、本実施形態のメディア再生表示装置１０では、メディア挿入口２２ａやリモコン受光部２５が表示ユニット３０とメディア挿入口２２ａ、リモコン受光部２５が一体で回転可能であるため、後席に小さな子供だけが乗車している場合などにメディア１１の出し入れや、リモコン５１あるいはメディア再生表示装置１０に搭載されているハードキー（図示省略）による操作を行うことが可能となる。
【００４１】
すなわち、図８に示すように、後席に小さな子供だけが着座しており、自分ではメディア１１の挿排やキーの操作ができない場合でも、助手席に着座している大人の方向に表示ユニット３０とメディア挿入口２２ａを一体で回転させる操作さえすれば、助手席に着座している大人がメディア１１の挿排を容易に行うことができ、ＤＶＤなど複雑な操作階層のあるメディア１１でも、表示を見ながら操作を行うことができる。
また、助手席側のみに表示が見え、運転者に見えない位置に回転させれば、運転者が画面を見たり操作することができないため、車両走行中の安全も確保できる。
【００４２】
さらに、図９に示すように、運転者と後席に小さな子供が着座している場合においても、助手席に乗員がいなくても、車両などの駐停車中にメディア１１の挿排や操作を行うことができる。
【００４３】
以上、説明したように、メディア１１の再生を行うメディア再生ユニット２０と映像情報を表示する表示ユニット３０とを一体として回転動作させる回転支持機構４０を設けることにより、周囲の各席からのメディア１１の出し入れや、操作手段５０であるリモコン５１あるいはメディア再生表示装置１０に搭載されているハードキー（図示省略）による操作を、容易に行うことができる。
【００４４】
なお、上記の実施形態においては、回転軸４１をメディア再生表示装置１０の略中央に設けていたが、図１０に示すように表示ユニット３０の支軸３１近傍に設けてメディア再生ユニット２０および表示ユニット３０を回転させるようにしても良い。この場合、メディア再生表示装置１０を開閉する支軸３１近傍を中心にメディア再生表示装置１０が回転されると、装置の回転による画面の移動量を少なくでき、視聴者にとっては回転中に表示ユニットが左右に大きくぶれることがないため、視点を大きくそらすことなく再生されている映像を見ることができる。
また、図１１に示すように、回転軸４１をメディア再生表示装置１０のメディア再生ユニット２０側（メディア挿入口２２ａ側）に設けてメディア再生ユニット２０および表示ユニット３０を回転させるようにしても良い。この場合、車両をバック（後退）させる際にメディア再生表示装置１０を開いた状態にしたままでも、下方に突出した表示デバイス３２をメディア再生表示装置１０の回転動作によって即座に運転手の後方視界を妨げない位置に移動させることができ、より広く運転手の後方視界を確保することができる。
このように、回転軸４１に対して、メディア再生ユニット２０および表示ユニット３０の重心を離すと、回転支軸機構４０、回転軸４１およびメディア再生ユニットケース２１への荷重が大きくなるが、これは回転軸を太くする、回転指示機構やケースの板厚を厚くするなどで強度を上げればよく、また、メディア再生表示装置全体の回転軌跡が大きくならないように、回転軌跡上の車両天井を平坦にしたり、メディア再生ユニットを表示ユニットに上下に重ね、装置の奥行き方向を小型化して回転軌跡を小さくしてもよい。
（第２実施形態）
【００４５】
次に、本発明の第２実施形態について説明する。
図１２は本発明の第２実施形態のメディア再生表示装置を車両の床面に搭載した状態を示す断面図、図１３は本発明の第２実施形態のメディア再生表示装置を車両の床面に搭載した状態を示す側面図、図１４は本発明の第２実施形態のメディア再生表示装置を車両の床面に搭載した状態を示す正面図である。
なお、前述した第１実施形態と共通する部位には同じ符号を付して、重複する説明は省略することとする。
【００４６】
図１２〜図１４に示すように、本発明の第２実施形態にかかるメディア再生表示装置１０Ｂは、前述した天井１２に取り付けた第１実施形態を床面１４に取り付けたもので、上下逆の形態を取っていることを除けば同様の構造である。
【００４７】
このように、床面１４に車載用メディア再生表示装置１０Ｂを取り付けた場合でも、前述した天井１２に取り付けた車載用メディア再生表示装置１０と同様の作用・効果を得ることができる。
【産業上の利用可能性】
【００４８】
以上のように、本発明に係るメディア再生表示装置は、メディア再生ユニットおよび表示ユニットをＺ軸方向回転軸回りに回転可能に支持する回転支持機構と、この回転支持機構を操作する操作手段とを設けることにより、車両後席の左右一方に着座している場合や、前席に大人、後席に子供が着座している場合などにおいても、操作手段によりメディア再生ユニットおよび前記表示ユニットを正面に向けることができる。
【００４９】
これにより、前席あるいは後席に座っている者でも、メディアの出し入れやリモコンあるいはメディア再生表示装置に搭載されているハードキーによる操作を容易に行うことができるメディア再生表示装置を提供することができるという効果を有し、メディアに記録された音声や映像情報を再生表示するためのメディア再生ユニットと表示ユニットを一体化した装置であって、車両、航空機、船などに搭載されるメディア再生表示装置等として有用である。
【図面の簡単な説明】
【００５０】
【図１】本発明の第１実施形態にかかるメディア再生表示装置の断面図
【図２】本発明の第１実施形態にかかるメディア再生表示装置の回転支持機構の平面図
【図３】本発明の第１実施形態にかかるメディア再生表示装置のシステムブロック図
【図４】本発明の第１実施形態の表示装置を車両の天井に搭載した状態を示す側面図
【図５】本発明の第1実施形態の表示装置を車両の天井に搭載した状態を示す正面図
【図６】本発明の第１実施形態におけるメディア再生装置を車両に搭載し、後席の中央位置に定置した状態、および従来のメディア再生表示装置の上面図
【図７】本発明の第１実施形態における、メディア再生表示装置を車両に搭載し、後席の着座位置方向に回転した状態の上面図
【図８】本発明の第１実施形態における、メディア再生表示装置を車両に搭載し、前席の助手席方向に回転した状態の上面図
【図９】本発明の第１実施形態における、メディア再生表示装置を車両に搭載し、前席の運転席方向に回転した状態の上面図
【図１０】本発明の第１実施形態にかかるメディア再生表示装置の別の例における断面図
【図１１】本発明の第１実施形態にかかるメディア再生表示装置の別の例における断面図
【図１２】本発明の第２実施形態のメディア再生表示装置を車両の床面に搭載した状態を示す断面図
【図１３】本発明の第２実施形態のメディア再生表示装置を車両の床面に搭載した状態を示す側面図
【図１４】本発明の第２実施形態のメディア再生表示装置を車両の床面に搭載した状態を示す正面図
【図１５】従来の車載用メディア再生表示装置を車両の天井に取り付けている状態を示す側面図
【符号の説明】
【００５１】
１０  メディア再生表示装置
１１  メディア
１２  天井
１３  床面
２０  メディア再生ユニット
３０  表示ユニット
４０  回転支持機構
４１  回転軸
５０  操作手段
【図１】
2006205977.tif 000003
【図２】
2006205977.tif 000004
【図３】
2006205977.tif 000005
【図４】
2006205977.tif 000006
【図５】
2006205977.tif 000007
【図６】
2006205977.tif 000008
【図７】
2006205977.tif 000009
【図８】
2006205977.tif 000010
【図９】
2006205977.tif 000011
【図１０】
2006205977.tif 000012
【図１１】
2006205977.tif 000013
【図１２】
2006205977.tif 000014
【図１３】
2006205977.tif 000015
【図１４】
2006205977.tif 000016
【図１５】
2006205977.tif 000017